(57)【特許請求の範囲】
【請求項１】
目地内の奥側に配置される受け材と、開口側に配置されるガスケットとからなる乾式目地材であって、前記受け材は、外向きに凹となる湾曲状態で目地内に配置されて両側縁が目地内の両側面に圧接する帯状の板ばねと、この板ばねの中央に突出した結合突片と、前記板ばねの両側縁に設けられて内側へ突出する仮止め片とを有し、前記ガスケットは、目地内の両側面に圧接するガスケット本体と、このガスケット本体の内面中央に沿って突設されて前記結合突片が嵌合する嵌合溝を有する中央片と、この中央片の両側に設けられて各々前記仮止め片が係脱自在に係合する仮止め片係合部とを有し、前記結合突片の前記嵌合溝への不完全嵌合深さで前記仮止め片と仮止め片係合部との係合が可能となり、完全嵌合深さで前記仮止め片と仮止め片係合部との係合が外れる乾式目地材。
【請求項２】
前記結合突片の側面における高さ方向の中間部と、前記嵌合溝の内面とに、これら結合突片と嵌合溝との完全嵌合深さで互いに噛み合う凹凸面を形成した請求項１記載の乾式目地材。
【請求項３】
前記板ばねが金属板からなる請求項１または請求項２記載の乾式目地材。
【請求項４】
前記板ばねの両側縁における目地奥側の面に、軟質弾性体またはひれ状の弾性体を設けた請求項１または請求項２または請求項３記載の乾式目地材。
【発明の詳細な説明】
【０００１】
【発明の属する技術分野】
この発明は、住宅やその他の建物における外壁目地の乾式目地材に関する。
【０００２】
【従来の技術と発明が解決しようとする課題】
従来、一対の外壁パネル間に形成される目地での防水は、例えば図２に示す防水構造によって図っていた。すなわち、一対の外壁パネル３１，３１間に形成される目地３０内にバックアップ材３２を設け、このバックアップ材３２の外側で、目地幅ｂより若干広い幅寸法ａに加工した軟質塩化ビニル樹脂製あるは合成ゴム製の帯状目地仕上げ材３３を目地溝３０内に圧入することにより、目地溝３０の開口部を塞いでいた。
しかし、上記のように高分子系材料からなる目地仕上げ材３３を使用する場合、経年変化により材料の弾発力が低くなるため、目地仕上げ材３３が圧接する目地溝３０の側面での水密性能の耐久性に問題があった。
【０００３】
別の従来例として、図３のように前記目地溝３０の目地幅ｂより若干広い幅寸法ａのひれ３４ａを有する合成ゴム等からなるガスケット３４を目地３０内に圧入状態に嵌め込み、弾性変形するひれ３４ａを目地溝３０の側面に圧接させるように構成したものもある。
しかし、このガスケット３４の場合も、経年変化により弾性劣化する高分子系材料の性質により、やはり水密性能の耐久性に問題がある。
【０００４】
この発明は、このような課題を解消し、水密性能とその耐久性に優れた乾式目地材を提供することを目的とする。
【０００５】
【課題を解決するための手段】
この発明の乾式目地材は、目地内の奥側に配置される受け材と、開口側に配置されるガスケットとからなり、次の構成としたものである。前記受け材は、外向きに凹となる湾曲状態で目地内に配置されて両側縁が目地内の両側面に圧接する帯状の板ばねと、この板ばねの中央に突出した結合突片と、前記板ばねの両側縁に設けられて内側へ突出する仮止め片とを有するものとする。前記ガスケットは、目地内の両側面に圧接するガスケット本体と、このガスケット本体の内面中央に沿って突設されて前記結合突片が嵌合する嵌合溝を有する中央片と、この中央片の両側に設けられて各々前記仮止め片が係脱自在に係合する仮止め片係合部とを有するものとする。前記仮止め片と仮止め片係合部とは、前記結合突片の前記嵌合溝への不完全嵌合深さで係合が可能となり、完全嵌合深さで係合が外れるものとする。
【０００６】
この構成の乾式目地材によれば、受け材とガスケットとを結合させ、受け材の板ばねをガスケットにより湾曲状態に保った状態で目地への挿入が行える。すなわち、受け材の結合突片をガスケットの嵌合溝へ中間深さまで差し込んでおき、板ばね両側縁の仮止め片をガスケットの仮止め片係合部に係合させることで、板ばねが湾曲状態に保たれる。このように板ばねを湾曲状態に保って目地に挿入することで、板ばねの幅が目地幅よりも狭くなった状態で目地内に挿入できる。そのため、板ばねのばね剛性が強くても、簡単に目地内に挿入できる。このように受け材とガスケットとが結合された乾式目地材を目地内に挿入した後、板ばねの裏面が目地の底やバックアップ材に当たった状態でガスケットをさらに押し込むと、ガスケットのみが押し込まれることになって、受け材の結合突片がガスケットの嵌合溝に完全嵌合深さまで入る。これに伴い、受け材の板ばねの仮止め片がガスケットの仮止め片係合部から外れ、板ばねが平板状に復元しようとして目地の内面に圧接する。
このようにして、板ばねの両側縁が目地内の両側面に圧接し目地の二次防水が図られる。また、ガスケット本体で一次防水が図られる。二次防水の水密性能は、湾曲状態の板ばねの両側縁を目地内の両側縁に圧接することで得るので、その耐久性が向上する。目地の両側面に圧接した板ばねにガスケットが係合するため、ガスケットの外れ防止効果が得られる。
【０００７】
前記結合突片の側面における高さ方向の中間部と、前記嵌合溝の内面には、これら結合突片と嵌合溝との完全嵌合深さで互いに噛み合う凹凸面を形成してもよい。この構成の場合、結合突片を押し込むだけで簡単かつ堅固に嵌合溝に結合させることができる。前記板ばねは金属板としてもよい。この構成の場合、板ばねの経年変化による弾性劣化が少なく、板ばねの両側縁と目地内の両側面との間の水密性能の耐久性が向上する。板ばねの両側縁における目地奥側の面には、軟質弾性体またはひれ状の弾性体を設けてもよい。この構成の場合、板ばねの両側縁の目地両側面への圧接がより密になり、それだけ水密性能が向上する。
【０００８】
【発明の実施の形態】
この発明の一実施形態を図１と共に説明する。この実施形態の乾式目地材１は、外壁材１３，１３間の目地１２内の奥側に配置される受け材２と、目地１２内の開口側に配置されるガスケット３とからなる。
前記受け材２は、外向きに凹となる湾曲状態で目地１２内に配置されて両側縁が目地１２内の両側面に圧接する帯状の金属製板ばね４と、この板ばね４の中央に突出した例えば硬質樹脂等からなる結合突片５と、前記板ばね４の両側縁に設けられて内側へ突出する仮止め片６とを有する。仮止め片６は、板ばね４の側縁を折曲した逆Ｌ字状の折曲片で構成され、その先端片部分は内側へ傾斜させてある。
前記ガスケット３は、目地１２内の両側面に圧接する帯状のガスケット本体７と、このガスケット本体７の内面中央に沿って突設されて前記結合突片５が嵌合する嵌合溝９を有する中央片８と、この中央片８の両側に設けられて各々前記仮止め片６が係脱自在に係合する仮止め片係合部１０とを有する。仮止め片係合部１０は、中央片８から一体に延びる断面Ｌ字状のものであり、その先端片部分が内向きに傾斜して板材４の仮止め片６を抜け難くしている。ガスケット本体７の幅寸法ａは、目地幅ｂより若干広い寸法としてある。
仮止め片６と仮止め片係合部１０とは、結合突片５が嵌合溝９へ中間深さまで挿入された状態で係合が可能となり、結合突片５が嵌合溝８へ完全に結合する深さで係合が外れるようにしてある。また、仮止め片６が仮止め片係合部１０に係合した湾曲状態の板ばね４の幅寸法ｃは、目地幅ｂよりも若干狭くなるようにしてある。
前記結合突片５の側面における高さ方向の中間部と、前記嵌合溝９の内面とには、これら結合突片５と嵌合溝９との完全嵌合深さで互いに噛み合う凹凸面５ａ，９ａが形成されている。これら凹凸面５ａ，９ａは、断面三角形状の突条または溝が多数本平行に並ぶ面に形成されている。また、板ばね４の両側縁における目地１２の奥側の面には、軟質弾性体１１が板ばね４の長手方向に沿って設けられている。軟質弾性体１１は、これに代えてひれ状の弾性体としてもよい。
【０００９】
この構成の乾式目地材１は次のようにして目地１２内に装着する。一対の外壁材１３，１３間に形成される目地１２内の奥側に、先ずバックアップ材１４を設ける。この後、図１（Ａ）のように受け材２とガスケット３が結合された状態の乾式目地材１を目地１２内に挿入する。すなわち、この結合状態では、受け材２の結合突片５がガスケット７の嵌合溝９へ途中の深さまで挿入され、板ばね４の仮止め片６がガスケット３の仮止め片係合部１０に係合して板ばね４が湾曲した状態となっている。この状態で、板ばね４は深く湾曲しており、板ばね４の幅寸法ｃは目地１２の幅寸法ａよりも若干狭くなっているので、この組み合わせ状態のままで受け材２とガスケット３とを目地１２内に容易に挿入できる。次いで、結合突片５が嵌合溝９に完全嵌合する深さまでガスケット３を押し込む。これにより、仮止め片６と仮止め片係合部１０との係合が外れ、板ばね４がその弾性復元力で平板状に復元しようとして湾曲が緩み、板ばね４の両側縁が目地１２内の両側面に圧接する。この圧接箇所で目地１２の二次防水が図られる。また、目地１２内の両側面に圧接するガスケット本体７で一次防水が図られる。このように、押し込み作業だけで、受け材２およびガスケット３を目地１２内に容易に装着することができる。
二次防水の水密性能は、湾曲状態の金属製板ばね４の両側縁を目地１２内の両側面に圧接させることで得るので、経時劣化が生じ難く、耐久性が向上する。また、板ばね４の両側縁には軟質弾性体１１またはひれ状の弾性体が設けられるので、板ばね４の両側縁と目地１２内の両側面との接触が一層密になり、これにより目地１２内の両側面での水密性能がさらに向上する。
さらに、結合突片５の凹凸面５ａと嵌合溝９の凹凸面９ａとの噛み合いにより、ガスケット３は受け材２に堅固に結合されるので、受け材２からガスケット３が脱落するのを確実に防止できる。
【００１０】
【発明の効果】
この発明の乾式目地材は、板ばねを主とする受け材とガスケットとで構成し、板ばねが深く湾曲した状態でガスケットに仮止め可能とし、この湾曲状態のものを目地内に挿入した後、仮止めを外して板ばねを目地内の両側面に圧接させるようにしたため、板ばねの強い圧接力で優れた水密性が得られ、ガスケットと板ばねとの二重防水で確実な水密性が得られる。また、板ばねを用いるため、経時劣化が少なく、耐久性に優れたものとなる。しかも、目地への装着が簡単に行え、またガスケットが外れ難いものとなる。
請求項２の発明の場合は、受け材の結合突片の側面における高さ方向の中間部と、ガスケットの嵌合溝の内面とに、これら結合突片と嵌合溝との完全嵌合深さで互いに噛み合う凹凸面を形成したため、結合突片を押し込むだけで簡単にかつ堅固に結合が行える。
請求項３の発明の場合は、前記板ばねを金属板としたため、板ばねの経年変化による弾性劣化が少なく、板ばねの両側縁と目地内の両側面の間の水密性能の耐久性がさらに向上する。
請求項４の発明の場合は、前記板ばねの両側縁における目地奥側の面に、軟質弾性体またはひれ状の弾性体を設けたため、板ばねの目地溝内面への接触が密になり、それだけ水密性能が向上する。
【図面の簡単な説明】
【図１】（Ａ）はこの発明の一実施形態に係る乾式目地材の斜視図、（Ｂ）は同乾式目地材を用いた目地構造の斜視図である。
【図２】従来例の斜視図である。
【図３】他の従来例の斜視図である。
【符号の説明】
１…乾式目地材、２…受け材、３…ガスケット、４…金属製板ばね、５…結合突片、５ａ…凹凸面、６…仮止め片、７…ガスケット本体、８…中央片、９…嵌合溝、９ａ…凹凸面、１０…仮止め片係合部、１１…軟質弾性体
【図１】
0003653138.tif 000002
【図２】
0003653138.tif 000003
【図３】
0003653138.tif 000004